(57)【要約】【課題】手動で時間を入力しなければならない非同期式移動通信システムで使用される携帯端末機において、自動で時間を設定できるようにし、ユーザの利便性を向上させる。【解決手段】携帯端末機の時間設定方法として、時間情報を含むＳＭＳメッセージを時間設定システムから受信する段階と、当該時間情報に基づいて時間を設定する段階とを含む。時間設定システムは、ＳＭＳセンタを利用することができる。【選択図】図１
2006279965.tif 000002
【特許請求の範囲】
【請求項１】
時間情報を含むＳＭＳメッセージを受信する段階と、
前記時間情報に基づいて時間を設定する段階と、
を含むことを特徴とする携帯端末機の時間設定方法。
【請求項２】
前記ＳＭＳメッセージが、ショートメッセージサービスセンタ（ＳＭＳＣ）を含む時間設定システムから受信されることを特徴とする請求項１に記載の携帯端末機の時間設定方法。
【請求項３】
前記ＳＭＳメッセージは、トランスポートプロトコルユーザデータヘッダインジケータ（ＴＰ−ＵＤＨＩ）の値が１であることを特徴とする請求項１に記載の携帯端末機の時間設定方法。
【請求項４】
前記ＳＭＳメッセージが、ユーザデータヘッダ（ＵＤＨ）の情報要素（ＩＥ）部分に時間情報を含むことを特徴とする請求項１に記載の携帯端末機の時間設定方法。
【請求項５】
前記情報要素が、０＊Ｅ０〜０＊ＦＦの範囲の情報要素識別子（ＩＥＩ）の値のうちいずれか１つの値に時間情報を含むことを特徴とする請求項４に記載の携帯端末機の時間設定方法。
【請求項６】
前記情報要素識別子の値に基づいて、前記ＳＭＳメッセージが自分の要求した時間情報を含むメッセージであるか否かを携帯端末機が判断することを特徴とする請求項５に記載の携帯端末機の時間設定方法。
【請求項７】
前記ＳＭＳメッセージが自分の要求した時間情報を含むメッセージであると、時間情報を含むデータのみを抽出して携帯端末機が時間を設定することを特徴とする請求項６に記載の携帯端末機の時間設定方法。
【請求項８】
時間の設定が完了すると、前記ＳＭＳメッセージの受信をユーザに通知せずに携帯端末機が削除することを特徴とする請求項７に記載の携帯端末機の時間設定方法。
【請求項９】
前記情報要素が、６オクテットの情報要素データ長（ＩＥＤＬ）と、６バイトの時間情報データを有する情報要素データ（ＩＥＤ）とを含むことを特徴とする請求項５に記載の携帯端末機の時間設定方法。
【請求項１０】
前記情報要素データが、それぞれ１オクテットずつ全６バイトに年、月、日、時、分、秒の情報を含むことを特徴とする請求項９に記載の携帯端末機の時間設定方法。
【請求項１１】
現在の時間情報を時間設定システムに要求する段階と、
前記時間設定システムから時間情報を受信する段階と、
前記受信した時間情報に基づいて時間を設定する段階と、
を含むことを特徴とする携帯端末機の時間設定方法。
【請求項１２】
前記時間設定システムが、ショートメッセージサービスセンタ（ＳＭＳＣ）であることを特徴とする請求項１１に記載の携帯端末機の時間設定方法。
【請求項１３】
前記時間情報が、ＳＭＳメッセージに含まれて転送されることを特徴とする請求項１１に記載の携帯端末機の時間設定方法。
【請求項１４】
前記ＳＭＳメッセージは、トランスポートプロトコルユーザデータヘッダインジケータ（ＴＰ−ＵＤＨＩ）の値が１であることを特徴とする請求項１３に記載の携帯端末機の時間設定方法。
【請求項１５】
前記ＳＭＳメッセージが、ユーザデータヘッダ（ＵＤＨ）の情報要素（ＩＥ）部分に時間情報を含むことを特徴とする請求項１３に記載の携帯端末機の時間設定方法。
【請求項１６】
前記情報要素が、０＊Ｅ０〜０＊ＦＦの範囲の情報要素識別子（ＩＥＩ）の値のうちいずれか１つの値に時間情報を含むことを特徴とする請求項１５に記載の携帯端末機の時間設定方法。
【請求項１７】
前記情報要素識別子の値に基づいて、前記ＳＭＳメッセージが自分の要求した時間情報を含むメッセージであるか否かを携帯端末機が判断することを特徴とする請求項１６に記載の携帯端末機の時間設定方法。
【請求項１８】
前記ＳＭＳメッセージが自分の要求した時間情報を含むメッセージであると、時間情報を含むデータのみを抽出して携帯端末機が時間を設定することを特徴とする請求項１７に記載の携帯端末機の時間設定方法。
【請求項１９】
前記情報要素が、６オクテットの情報要素データ長（ＩＥＤＬ）と、６バイトの時間情報データを有する情報要素データ（ＩＥＤ）とを含むことを特徴とする請求項１５に記載の携帯端末機の時間設定方法。
【請求項２０】
前記情報要素データが、それぞれ１オクテットずつ全６バイトに年、月、日、時、分、秒の情報を含むことを特徴とする請求項１９に記載の携帯端末機の時間設定方法。
【発明の詳細な説明】
【技術分野】
【０００１】
本発明は、携帯端末機に関し、特に、非同期式移動通信システムで使用される携帯端末機の時間を自動で設定し得るようにした、携帯端末機の時間設定方法に関する。
【背景技術】
【０００２】
移動通信（移動体通信）方式は、ＧＰＳ（Global Positioning System）を使用する北米中心の同期式と、ＧＰＳを使用しない欧州中心の非同期式とに区分できる。現在常用されている同期式移動通信システムとしては、ＣＤＭＡ２０００（Code Division Multiple Access 2000）が代表的であり、非同期式移動通信システムとしては、ＧＰＲＳ（General Packet Radio Services）やＧＳＭ（Global System for Mobile communications）が代表的である。
【０００３】
一般に、ＣＤＭＡ２０００などの同期式移動通信システムで使用される携帯端末機の場合、ユーザが直接時間を入力しなくても、携帯端末機の電源がオンになると、システム（基地局）との同期化のための端末機初期化過程が行われて、自動で端末機内時間を合わせるため、全ての携帯端末機が常に正確な時間を維持できる。
【発明の開示】
【発明が解決しようとする課題】
【０００４】
しかし、ＧＰＲＳやＧＳＭなどの非同期式移動通信システムで使用される携帯端末機は、同期式移動通信システムで使用される携帯端末機とは異なり、システムから時間情報が提供されないため、各携帯端末機のユーザが直接時間を入力しなければならない。
【０００５】
本発明は、この点に着目したもので、手動で時間を入力しなければならない非同期式移動通信システムで使用される携帯端末機について、自動で時間を設定し得るようにする携帯端末機の時間設定方法を提供することを目的とする。
【課題を解決するための手段】
【０００６】
このような目的を達成するために、本発明に係る携帯端末機の時間設定方法は、携帯端末機が所定の時間設定システムに時間情報を要求する過程と、この携帯端末機から時間情報を要求された時間設定システムが該当携帯端末機に時間情報を転送する過程と、この時間設定システムから時間情報を受信した携帯端末機が時間を設定する過程とを含むことを特徴とする。
【０００７】
このような時間設定システムは、ショートメッセージサービスセンタ（ＳＭＳＣ）とすることができ、この場合は、時間情報を含むＳＭＳメッセージを携帯端末機に送信することを特徴とする。さらに、そのＳＭＳメッセージは、トランスポートプロトコルユーザデータヘッダインジケータ（Transport Protocol-User Data Header Indicator：ＴＰ−ＵＤＨＩ）の値が１であり、ユーザデータヘッダ（User Data Header：ＵＤＨ）の情報要素（Information Element：ＩＥ）部分に時間情報を含んだものとすることができる。また、そのＩＥは、０＊Ｅ０〜０＊ＦＦの範囲の情報要素識別子（Information Element Identifier：ＩＥＩ）の値のうちいずれか１つの値に時間情報を含むものとすることができる。
【０００８】
このようなＩＥは、６オクテットの情報要素データ長（IE Data Length：ＩＥＤＬ）と、６バイトの時間情報データを有する情報要素データ（IE Data：ＩＥＤ）とを含むことを特徴とする。そのＩＥＤは、それぞれ１オクテットずつ全６バイトに年、月、日、時、分、秒の情報を含むことが可能である。
【０００９】
このようなＳＭＳメッセージを受ける携帯端末機は、そのＩＥＩの値に基づいて、ＳＭＳメッセージが自分の要求した時間情報を含むメッセージであるか否かを判断することを特徴とする。当該判断の結果、ＳＭＳメッセージが自分の要求した時間情報を含むメッセージであれば、時間情報を含むＩＥＤのみを抽出して時間を設定することができる。
【発明の効果】
【００１０】
本発明に係る携帯端末機の時間設定方法によれば、手動で時間を入力しなければならない非同期式移動通信システムで使用される携帯端末機において、自動で時間を設定することが可能となり、ユーザの利便性を向上させるという効果がある。
【発明を実施するための最良の形態】
【００１１】
以下、添付した図面を参照して本発明の好ましい実施形態について説明する。
【００１２】
図１は本発明に係る携帯端末機の時間設定方法について、処理過程の例を示すフローチャートである。
【００１３】
図１に示すように、まず、携帯端末機の電源がオンになると、携帯端末機は、予め定められたアドレスを用いて時間設定システムに時間情報を要求する（Ｓ１１０）。このときの時間設定システムはＳＭＳＣであり得る。
【００１４】
携帯端末機から時間情報を要求された時間設定システムは、そのアドレスに基づいて、時間情報を要求した携帯端末機を認識し、時間情報を含むＳＭＳメッセージを作成し該当携帯端末機に送信する（Ｓ１２０）。
【００１５】
携帯端末機は、受信したＳＭＳメッセージを分析（パーシング）し、自分の要求した時間情報を含むメッセージであるのか、あるいは一般のＳＭＳメッセージであるのか判断する（Ｓ１３０）。
【００１６】
この判断の結果、受信したＳＭＳメッセージが時間情報を含むメッセージであると、携帯端末機は、ユーザには当該ＳＭＳメッセージの受信を通知せず、時間情報に関するデータを用いて端末機内の時間を設定した後、このＳＭＳメッセージを削除する（Ｓ１４０）。一方、判断の結果、受信したＳＭＳメッセージが一般のＳＭＳメッセージであれば、通常の処理を実行し、ユーザに当該ＳＭＳメッセージの受信を通知し、ユーザの設定又はユーザにより入力された命令に従って、ＳＭＳメッセージを画面に表示したり、削除又は保存する（Ｓ１５０）。
【００１７】
前述のように、ＳＭＳメッセージに時間情報を含め、携帯端末機にそのＳＭＳメッセージを分析させるためには、ＳＭＳメッセージの細部構造に特定の設定をしなければならない。これについて、図２を参照して説明する。
【００１８】
図２は本発明に係る携帯端末機の時間設定方法のためのＳＭＳメッセージの細部構造を示す構造図である。時間設定システム（ＳＭＳＣ）では、ＳＭＳ標準スペックに基づいて、ＳＭＳ＿ＤＥＬＩＶＥＲというトランザクション方式を用いて、携帯端末機にＳＭＳメッセージを送信する。
【００１９】
図２に示すように、ＳＭＳメッセージ２００は、メッセージに関する情報を含むＳＭＳヘッダ２０２と、複数のトランスポートプロトコルデータユニット（Transport Protocol Data Unit：ＴＰＤＵ）２０４−１〜２０４−ｎと、を含んで構成される。
【００２０】
各ＴＰＤＵ２０４−１〜２０４−ｎは、多様なフィールドを含むが、そのうち、トランスポートプロトコルユーザデータヘッダインジケータ（ＴＰ−ＵＤＨＩ）２０６は、情報要素識別子（ＩＥＩ）形態で連結されるトランスポートプロトコルユーザデータ（Transport Protocol User Data：ＴＰ−ＵＤ）２０８領域を示すために使用されるもので、ＴＰ−ＵＤＨＩ２０６の値が１の場合、実際のメッセージ内容を含むＴＰ−ＵＤ２０８の一部分がユーザデータヘッダ（ＵＤＨ）２１０と判断されるようにして、メッセージ以外の他の情報が含まれていることを携帯端末機に認知させ、携帯端末機にメッセージを分析させる。
【００２１】
ＴＰ−ＵＤ２０８は、ＵＤＨ２１０と、フィルビット（Fill bits）２１６と、データ２１８とを含み、ＵＤＨ２１０は、ＵＤＨ２１０の長さを示すユーザデータヘッダ長（UDH Length：ＵＤＨＬ）２１２と、複数の情報要素（ＩＥ）２１４−１〜２１４−ｎとを含む。本発明においては、実際のメッセージ内容以外の他の情報を含むＵＤＨ２１０のＩＥ２１２−１〜２１２−ｎ部分を用いて、時間設定システムから携帯端末機に時間情報を転送し、携帯端末機がその時間情報を受信して自動で時間を設定するようにする。
【００２２】
携帯端末機から時間情報を要求された時間設定システムは、ＴＰ−ＵＤＨＩ２０６を１に設定し、ＩＥ２１４−１〜２１４−ｎ部分に時間情報を含めたＳＭＳメッセージ２００を転送する。ＳＭＳ標準スペックにより、ＩＥ２１４−１〜２１４−ｎの構造でＩＥＩ２２０の値は、０＊００〜０＊ＦＦの範囲に指定されている。そのうち、０＊Ｅ０〜０＊ＦＦの範囲は、今後の使用のための予約用として指定されている。本発明においては、その０＊Ｅ０〜０＊ＦＦの範囲のうちいずれか１つの値を、時間情報をユーザに通知する用途に定義して使用する。
【００２３】
また、時間設定システムでは、情報要素データ長（ＩＥＤＬ）２２２を６オクテットを有する０＊０６に設定し、情報要素データ（ＩＥＤ）２２４において、それぞれ１オクテットずつ全６バイトに年、月、日、時、分、秒の情報を含めたＳＭＳメッセージ２００を作成して、時間情報を要求した携帯端末機に転送する。
【００２４】
ＳＭＳメッセージ２００を受信した携帯端末機は、メッセージを分析する過程で、ＩＥＩ２２０の値に基づいて、ＳＭＳメッセージ２００が自分の要求した時間情報データを含むメッセージであるか否かを判断し、自分の要求した時間情報データを含むメッセージであると判断した場合は、６バイトの年、月、日、時、分、秒の時間情報を含むデータをＩＥＤ２２４から抽出して一時メモリに保存する。次に、携帯端末機は、その保存した時間情報データを用いて時間を設定し、時間の設定が完了すると同時にＳＭＳメッセージ２００を削除する。ＳＭＳメッセージ２００の受信は、ユーザに通知されないようにすることができる。
【００２５】
一方、受信したＳＭＳメッセージ２００が、自分の要求した時間情報データを含むメッセージではなく、一般のＳＭＳメッセージであった場合は、通常の処理の通りに、ユーザにＳＭＳメッセージの受信を通知し、ユーザの設定又はユーザにより入力された命令に従って、ＳＭＳメッセージを画面に表示したり、削除又は保存する。
【００２６】
一例として、０＊Ｅ１を時間情報を示す値に規定すると、時間設定システムは、ＩＥのＩＥＩの値を０＊Ｅ１に設定し（ＩＥＩ=０＊Ｅ１）、ＩＥＤＬを６オクテットを有する０＊０６に設定し（ＩＥＤＬ=０＊０６）、ＩＥＤにそれぞれ１オクテットずつ全６バイトに年、月、日、時、分、秒の情報を含めたＳＭＳメッセージを作成して、時間情報を要求した携帯端末機に送信する。
【００２７】
前述のように、ＳＭＳメッセージを受信した携帯端末機は、メッセージのデータを分析する過程で、ＩＥＩの値が０＊Ｅ１であることに基づいて、ＳＭＳメッセージが自分の要求した時間情報データを含むメッセージであることを認識し、６バイトの年、月、日、時、分、秒の時間情報を含む６オクテットのＩＥＤＬのデータをＩＥＤから抽出して一時メモリに保存する。ＳＭＳメッセージの受信は、ユーザに通知されない設定とすることが可能である。次に、携帯端末機は、保存した時間情報データを用いて時間を設定し、時間の設定が完了すると同時にＳＭＳメッセージを削除する。
【図面の簡単な説明】
【００２８】
【図１】本発明に係る携帯端末機の時間設定方法の処理過程を示すフローチャートである。
【図２】本発明に係る携帯端末機の時間設定方法のためのＳＭＳメッセージの細部構造を示す構造図である。
【符号の説明】
【００２９】
２００  ＳＭＳメッセージ
２０２  ＳＭＳヘッダ
２０４−１〜２０４−ｎ  ＴＰＤＵ
２０６  ＴＰ−ＵＤＨＩ
２０８  ＴＰ−ＵＤ
２１０  ＵＤＨ
２１２  ＵＤＨＬ
２１４−１〜２１４−ｎ  ＩＥ
２１６  フィルビット
２１８  データ
２２０  ＩＥＩ
２２２  ＩＥＤＬ
２２４  ＩＥＤ
【図１】
2006279965.tif 000003
【図２】
2006279965.tif 000004